(57)【要約】【課題】音声通信を優先するという制御処理を原則として維持しつつもデータ通信を効率的に行うことを可能とした無線通信システムを提供すること。【解決手段】無線通信システムにおいて、基地局から移動局に対して音声通話要求が発生した場合に、当該移動局との間で現在データ通信が実行中か否かを判別し、データ通信が実行中と判別された場合に、当該データ通信が完了するまでの残り時間を算出し、前記残り時間が予め設定した所定時間以内である場合には、音声通話要求者に対して待機する旨を通知してデータ通信完了後に音声通話開始可能であることを通知し、前記残り時間が予め設定した所定時間より大きい場合には、データ通信を中断した上で音声通話要求者に対して音声通話開始可能であることを通知することを特徴とする無線通信システムである。【選択図】図２
2012010115.tif 000002
【特許請求の範囲】
【請求項１】
基地局と、前記基地局との間で音声通信又はデータ通信のいずれかの通信モードで通信を行う少なくとも１以上の移動局とを具備した無線通信システムにおいて、
前記基地局は、前記移動局に対して前記通信指令を行う通信指令手段と、前記基地局と前記移動局との間の通信を制御する回線制御手段とを備え、
前記回線制御手段は、前記通信指令手段から前記移動局に対する音声通信要求が発生した場合、当該移動局との間でデータ通信が実行中か否かを判別し、データ通信が実行中と判別された場合、当該データ通信が完了するまでの残り時間を算出し、前記残り時間が予め設定した所定時間以内である場合は前記通信指令手段に対して前記音声通信を待機させる旨を通知するとともに前記データ通信が完了後に前記音声通信を開始可能であることを通知し、前記残り時間が予め設定した所定時間より大きい場合は前記データ通信を中断した上で前記通信指令手段に対して前記音声通信を開始可能であることを通知することを特徴とする無線通信システム。
【請求項２】
基地局と、前記基地局との間で音声通信又はデータ通信のいずれかの通信モードで通信を行う少なくとも１以上の移動局とを具備した無線通信システムにおいて、
前記基地局は、前記移動局に対して前記通信指令を行う通信指令手段と、前記基地局と前記移動局との間の通信を制御する回線制御手段とを備え、
前記回線制御手段は、前記通信指令手段から前記移動局に対する音声通信要求が発生した場合、当該移動局との間でデータ通信が実行中か否かを判別し、データ通信が実行中と判別された場合、当該データ通信の内容が予め設定した２段階の重要度の何れに該当するかを判別し、前記データ通信の内容の重要度が高いものと判別した場合、実行中のデータ通信を優先し、前記通信指令手段に対して音声通信が出来ないことを通知し、
前記重要度が低いものと判別した場合、当該データ通信が完了するまでの残り時間を算出し、前記残り時間が予め設定した所定時間以内である場合は前記通信指令手段に対して前記音声通信を待機させる旨を通知するとともに前記データ通信が完了後に前記音声通信を開始可能であることを通知し、前記残り時間が予め設定した所定時間より大きい場合は前記データ通信を中断した上で前記通信指令手段に対して前記音声通信を開始可能であることを通知することを特徴とする無線通信システム。
【請求項３】
基地局と、前記基地局との間で音声通信又はデータ通信のいずれかの通信モードで通信を行う少なくとも１以上の移動局とを具備した無線通信システムにおいて、
前記基地局は、前記移動局に対して前記通信指令を行う通信指令手段と、前記基地局と前記移動局との間の通信を制御する回線制御手段とを備え、
前記回線制御手段は、前記通信指令手段から前記移動局に対する音声通信要求が発生した場合、当該移動局との間でデータ通信が実行中か否かを判別し、データ通信が実行中と判別された場合、当該データ通信の内容が予め設定した３段階の重要度の何れに該当するかを判別し、前記データ通信の内容の重要度が最も高いものと判別した場合、実行中のデータ通信を優先し、前記通信指令手段に対して音声通信が出来ないことを通知し、
前記重要度が２番目に高いものと判別した場合、当該データ通信が完了するまでの残り時間を算出し、前記残り時間が予め設定した所定時間以内である場合は前記通信指令手段に対して前記音声通信を待機させる旨を通知するとともに前記データ通信が完了後に前記音声通信を開始可能であることを通知し、前記残り時間が予め設定した所定時間より大きい場合は前記データ通信を中断した上で前記通信指令手段に対して前記音声通信を開始可能であることを通知し、
前記重要度が最も重要度が低いものと判別した場合、実行中のデータ通信を中断し、前記通信指令手段に対して音声通信開始可能であることを通知することを特徴とする無線通信システム。
【発明の詳細な説明】
【技術分野】
【０００１】
本発明は、消防に関する無線通信システムにおいて、消防本部から移動局へ指令電文などのデータ通信中に音声通話要求があった場合の制御処理に関するものである。
【背景技術】
【０００２】
従来の消防に関する無線通信システムは、図５に示すように、消防本部基地局（以下、基地局）１０と、少なくとも１以上の移動局１１（図５においては、３つの移動局１１ａ〜１１ｃ）との間で相互に無線通信が行われている。基地局１０は、１１９番通報を受け付けて移動局等に通信指令を出す制御を行う指令台装置１３と、火災や救急地震等による消防管轄内における事案を管理し、また、事案情報を移動局に対して送信する自動出動装置１４と、ＡＶＭ（Automatic Vehicle Monitoring）システムによる移動局の位置や状態をデジタル無線によるデータ送受信によって管理するＡＶＭ動態管理装置１５と、デジタル無線による音声通話を制御する無線統制台装置１６と、移動局１１との間の無線通信を担う無線装置１８とによって構成されている。移動局１１は、基地局と無線通信を行うための無線機と、デジタル無線にて送受信する信号を処理する信号処理装置とを有している。図５において、実線はデータ通信ライン、破線は音声通信ラインをそれぞれ表している。
【０００３】
以上のような構成において、基地局１０と移動局１１との間で音声通信又はデータ通信のいずれかの通信モードで通信が行われるが、従来の無線通信システムにおいては、消防業務における音声通信の重要性から常に音声通信が優先されるように制御を行っていたため、例えば、基地局１０から移動局１１に対してデータ送信中に音声通話の要求があった場合には、データ送信を中断して音声通信に切り替えていた。
【０００４】
分野は異なるものの、音声通信モードとデータ通信モードとの優先順位を如何に制御するかに関する文献として、特許文献１及び２が挙げられる。
特許文献１に記載の移動端末は、従来の移動端末ではデータ通信中に音声着信がなされた場合、予め定めたいずれかのモードの設定がなされると、そのデータ通信の種類に係わらず、所定の通信モードでの処理しか行なわれないことにより、データ通信の種類によっては必ずしもその処理が適切ではないという問題が生じていたことを課題とし、データ通信中に音声着信がなされたときに、そのデータ通信の種類に応じて異なる処理が可能となる移動端末を提供することを目的としたものである。
【０００５】
特許文献２に記載の移動通信端末は、データを受信中に音声着信が発生した場合データ通信の種別により音声通信移行機能や音声着信通知機能を切り替えるだけではユーザの要望に対して不十分な場合があることを課題として、ユーザが「１．音声通信優先」又は「２．データ通信優先」のいずれかを選択することができるとともに、優先データ通信相手情報を記憶しておき、データ通信開始時に通信相手が優先データ通信情報に登録された相手の場合は、優先モード設定情報を一時的に「データ通信優先モード」に変更する機能を持たせたものである。
【特許文献１】特開２００２−６４８６７号公報
【特許文献２】特開２００５−８６４６４号公報
【発明の開示】
【発明が解決しようとする課題】
【０００６】
図５に示す従来の無線通信システムにおいては、データ送信中に音声通話の要求があった場合にはデータ送信を中断して音声通信に切り替えていたため、送信途中だったデータについては再度続きを送信し直す必要があり、音声通話を優先し続けることによってデータ通信がなかなか完了しない場合が生じるという問題がある。
【０００７】
この問題を解決するために、前記特許文献１又は２のように音声通信よりもデータ通信を優先する場合を規定して制御する方法も考えられるが、消防に関する無線通信システムにおいては、消防業務における音声通信の重要性から原則として音声通信が優先であるため、単純に特許文献１又は２のような通信制御方法を採用することができないという事情がある。
【０００８】
本発明は、上記問題点に鑑みなされたものであり、音声通信を優先するという制御処理を原則として維持しつつもデータ通信を効率的に行うことを可能とした無線通信システムを提供することを目的とするものである。
【課題を解決するための手段】
【０００９】
本発明の請求項１は、基地局と、前記基地局との間で音声通信又はデータ通信のいずれかの通信モードで通信を行う少なくとも１以上の移動局とを具備した無線通信システムにおいて、前記基地局は、前記移動局に対して前記通信指令を行う通信指令手段と、前記基地局と前記移動局との間の通信を制御する回線制御手段とを備え、前記回線制御手段は、前記通信指令手段から前記移動局に対する音声通信要求が発生した場合、当該移動局との間でデータ通信が実行中か否かを判別し、データ通信が実行中と判別された場合、当該データ通信が完了するまでの残り時間を算出し、前記残り時間が予め設定した所定時間以内である場合は前記通信指令手段に対して前記音声通信を待機させる旨を通知するとともに前記データ通信が完了後に前記音声通信を開始可能であることを通知し、前記残り時間が予め設定した所定時間より大きい場合は前記データ通信を中断した上で前記通信指令手段に対して前記音声通信を開始可能であることを通知することを特徴とする無線通信システムである。
【００１０】
本発明の請求項２は、基地局と、前記基地局との間で音声通信又はデータ通信のいずれかの通信モードで通信を行う少なくとも１以上の移動局とを具備した無線通信システムにおいて、前記基地局は、前記移動局に対して前記通信指令を行う通信指令手段と、前記基地局と前記移動局との間の通信を制御する回線制御手段とを備え、前記回線制御手段は、前記通信指令手段から前記移動局に対する音声通信要求が発生した場合、当該移動局との間でデータ通信が実行中か否かを判別し、データ通信が実行中と判別された場合、当該データ通信の内容が予め設定した２段階の重要度の何れに該当するかを判別し、前記データ通信の内容の重要度が高いものと判別した場合、実行中のデータ通信を優先し、前記通信指令手段に対して音声通信が出来ないことを通知し、前記重要度が低いものと判別した場合、当該データ通信が完了するまでの残り時間を算出し、前記残り時間が予め設定した所定時間以内である場合は前記通信指令手段に対して前記音声通信を待機させる旨を通知するとともに前記データ通信が完了後に前記音声通信を開始可能であることを通知し、前記残り時間が予め設定した所定時間より大きい場合は前記データ通信を中断した上で前記通信指令手段に対して前記音声通信を開始可能であることを通知することを特徴とする無線通信システムである。
【００１１】
本発明の請求項３は、基地局と、前記基地局との間で音声通信又はデータ通信のいずれかの通信モードで通信を行う少なくとも１以上の移動局とを具備した無線通信システムにおいて、前記基地局は、前記移動局に対して前記通信指令を行う通信指令手段と、前記基地局と前記移動局との間の通信を制御する回線制御手段とを備え、前記回線制御手段は、前記通信指令手段から前記移動局に対する音声通信要求が発生した場合、当該移動局との間でデータ通信が実行中か否かを判別し、データ通信が実行中と判別された場合、当該データ通信の内容が予め設定した３段階の重要度の何れに該当するかを判別し、前記データ通信の内容の重要度が最も高いものと判別した場合、実行中のデータ通信を優先し、前記通信指令手段に対して音声通信が出来ないことを通知し、前記重要度が２番目に高いものと判別した場合、当該データ通信が完了するまでの残り時間を算出し、前記残り時間が予め設定した所定時間以内である場合は前記通信指令手段に対して前記音声通信を待機させる旨を通知するとともに前記データ通信が完了後に前記音声通信を開始可能であることを通知し、前記残り時間が予め設定した所定時間より大きい場合は前記データ通信を中断した上で前記通信指令手段に対して前記音声通信を開始可能であることを通知し、前記重要度が最も重要度が低いものと判別した場合、実行中のデータ通信を中断し、前記通信指令手段に対して音声通信開始可能であることを通知することを特徴とする無線通信システムである。
【発明の効果】
【００１２】
請求項１記載の発明によれば、予め設定した所定時間（例えば５秒）を閾値として、データ通信完了を優先するか即座に音声通信に切り替えるかの処理を選択するようにしたので、従来はあと僅かというところで中断せざるを得ずデータ通信を完了することができなかったが、僅かな待機時間でデータ通信を完了できる場合には音声通信に切り替える前にデータ通信を完了させることが出来るようになるため、音声通信優先の原則を維持しながらもデータ通信を中断したことによる再送信処理の回数を減らすことで、通信の運用効率が高くなる。
【００１３】
請求項２記載の発明によれば、送信するデータの内容毎に予め２段階の重要度に設定し、重要度が高いデータを送信している場合、データ通信モードを最優先にすることで重要なデータ通信を中断させないことができる。
【００１４】
請求項３記載の発明によれば、送信するデータの内容毎に予め３段階の重要度に設定し、最も重要度が低いデータを送信している場合、音声通信を最優先にすることで、基地局からの音声による指令通信が速やかに行える。
【図面の簡単な説明】
【００１５】
【図１】本発明の無線通信システムを模式的に表したブロック図である。
【図２】実施例１での回線制御装置１７における処理の流れを表したフローチャートである。
【図３】実施例２での回線制御装置１７における処理の流れを表したフローチャートである。
【図４】データの内容毎の重要度の一例を表した表図である。
【図５】従来の無線通信システムを模式的に表したブロック図である。
【発明を実施するための形態】
【００１６】
本発明は、基地局と、前記基地局との間で音声通信又はデータ通信のいずれかの通信モードで通信を行う少なくとも１以上の移動局とを具備した無線通信システムにおいて、前記基地局は、前記移動局に対して前記通信指令を行う通信指令手段と、前記基地局と前記移動局との間の通信を制御する回線制御手段とを備え、前記回線制御手段は、前記通信指令手段から前記移動局に対する音声通信要求が発生した場合、当該移動局との間でデータ通信が実行中か否かを判別し、データ通信が実行中と判別された場合、当該データ通信が完了するまでの残り時間を算出し、前記残り時間が予め設定した所定時間以内である場合は前記通信指令手段に対して前記音声通信を待機させる旨を通知するとともに前記データ通信が完了後に前記音声通信を開始可能であることを通知し、前記残り時間が予め設定した所定時間より大きい場合は前記データ通信を中断した上で前記通信指令手段に対して前記音声通信を開始可能であることを通知することを特徴とする無線通信システムである。
【実施例１】
【００１７】
本発明による無線通信システムについて図面に基づいて説明を行う。図１に示すのは、本発明の無線通信システムを模式的に表したブロック図であり、本部基地局（以下、基地局）１０と、少なくとも１以上の移動局１１（図１においては、３つの移動局１１ａ〜１１ｃ）との間で相互に無線通信が行われている。基地局１０は、１１９番通報を受け付けて移動局等に通信指令を出す制御を行う通信指令手段としての指令台装置１３と、火災や救急等による消防管轄内における事案を管理し、また、事案情報を移動局に対して送信する自動出動装置１４と、ＡＶＭ（Automatic Vehicle Monitoring）システムによる移動局の位置や状態をデジタル無線によるデータ送受信によって管理するＡＶＭ動態管理装置１５と、デジタル無線による音声通話を制御する無線統制台装置１６と、これら各装置から依頼される移動局との間で行われる音声通信又はデータ通信を制御する回線制御手段としての回線制御装置１７と、移動局１１との間の無線通信を担う無線装置１８とによって構成されている。図１において実線はデータ通信ライン、破線は音声通信ライン、二重線はデータ音声共用ラインをそれぞれ表している。
移動局１１は、基地局１０と無線通信を行うための無線機と、デジタル無線にて送受信する信号を処理する信号処理装置とを有している。
【００１８】
基地局１０と移動局１１との間では、デジタル無線による音声やデータの送受信が必要の都度行われている。基地局１０は、移動局１１より送信される動態情報や位置情報を定期的にデジタル無線によりデータにて取得し、ＡＶＭ動態管理装置１５にて複数の移動局１１の管理を図っている。また、移動局１１は、デジタル無線による基地局１０からの指令指示を音声又はデータにて受信し、信号処理装置にて取得情報を処理して表示し、消火、救急活動を行う。１１９番通報の受話にて災害や救急発生時、基地局１０は、ＡＶＭ動態管理装置１５にて管理している移動局情報に基づき災害状況に応じた移動局１１の隊編成を組み、出動依頼を行う。隊編成で選ばれた移動局１１にはデジタル無線にて災害情報を音声又はデータで送信する。災害活動中の移動局１１は、災害活動中の移動局１１は、常にデジタル無線にて動態情報や位置情報を基地局１０へデータ送信し、必要に応じて音声にて情報交換を行うことにより、基地局１０は災害活動状況を把握し、最適な行動がなされているかを判断する。
【００１９】
更に詳しくは、本発明は、回線制御装置１７により、基地局１０と移動局１１との間で行われる音声通信及びデータ通信について、原則として音声通信を優先としつつも音声通信に違和感のない範囲でデータ通信を良好に行えるように制御することを特徴とするものである。データ通信は、基地局１０の指令台装置１３、自動出動装置１４、ＡＶＭ動態管理装置１５からそれぞれ移動局１１に対して行われており、回線制御装置１７においてこのデータ通信状況を把握しながら指令台装置１３から音声通話要求があった場合に以下のような処理を行う。
【００２０】
図２に示すのは、回線制御装置１７における処理の流れを表したフローチャートである。先ず、基地局１０の指令台装置１３において音声通話を開始するためのボタン押下操作（以下、プレスオンという）によって信号が発信されると、これを回線制御装置１７で受信する（Ｓ２０１）。プレスオンを受信した回線制御装置１７では、指令台装置１３が通話しようとしている移動局１１と現在データ通信が実行中であるか否かを確認し（Ｓ２０２）、データ通信を行っていない場合には、音声通話が可能であることを指令台装置１３に通知する（Ｓ２０７）。現在データ通信中である場合には、（Ｓ２０３）へ移行する。
【００２１】
（Ｓ２０３）では、移動局１１へ送信している現在のデータ通信が完了するまでに必要な時間を算出する。そして、予め設定された所定の時間内、例えば残り５秒以内でデータ通信を完了させることができるか否かを判別する（Ｓ２０４）。５秒以内でデータ通信を完了する場合には、データ通信が完了するまで待機する旨を指令台１３に通知（Ｓ２０５）した上で、データ通信が完了後（Ｓ２０６）音声通話可能であることを指令台装置１３に通知する（Ｓ２０８）。５秒以内でデータ通信を完了できない場合には、データ通信を中断し（Ｓ２０７）、即座に音声通話が可能であることを指令台装置１３に通知する（Ｓ２０８）。なお、指令台装置１３でプレスオンしてから音声通話可能までの間隔がデータ通信の状況によって異なってくるため、通話可能を知らせる時、ＬＥＤやＬＣＤによる画面に視覚的に通知する方法や、ブザーによって聴覚的に通知する方法などを採用することで指令台装置１３の隊員が認識し易いようにする。
【００２２】
また、データ通信完了までの残り時間の算出は、まだ送信していない残りのデータ量から算出することができる。例えば、パケット通信において、総パケット数に対する現在の送信パケット数に基づいて残り時間を算出する。また、設定時間を５秒としたのはあくまで一例であって適宜設定可能なものである。
【００２３】
以上のように、データ通信中に音声通話要求があった場合に、データ通信完了までの時間を算出し、所定時間、例えば５秒以内にデータ通信が完了するようであればデータ通信を続行して完了させてその後に音声通信に切り替えるようにした。このように、待機時間が短ければ、指令台装置１３で応対している隊員に違和感を与えることなくデータ通信を完了させ、かつ音声通信に移行することができる。５秒よりも長く時間を要するような場合には、従来通り音声通信優先として、データ通信を中断して音声通信に移行し、音声通信終了後、中断したデータを再送信する。このような処理を行うことにより、従来はあと僅かというところで中断せざるを得ずデータ通信を完了することができなかったが、僅かな待機時間でデータ通信を完了できる場合には音声通信に切り替える前にデータ通信を完了させることが出来るようになるため、音声通信優先の原則を維持しながらもデータ通信を中断したことによる再送信処理の回数を減らすことで、通信の運用効率が高くなる。
【実施例２】
【００２４】
前記実施例１においては、データ通信中に音声通話要求があった場合に、データ通信完了までの時間に基づいて処理を切り替えるように制御していたが、この実施例２においては、データの内容を参照してデータの重要度に応じて処理を切り替えるようにした制御方法について説明を行う。なお、全体の構成は実施例１における図１と同様であり、回線制御装置１７における処理が異なるので、各部の説明は省略する。
【００２５】
図３に示すのは、実施例２における回線制御装置１７での処理の流れを表したフローチャートである。先ず、基地局１０の指令台装置１３において音声通話を開始するためのボタン押下操作（以下、プレスオンという）によって信号が発信されると、これを回線制御装置１７で受信する（Ｓ３０１）。プレスオンを受信した回線制御装置１７では、指令台装置１３が通話しようとしている移動局１１と現在データ通信中であるか否かを確認し（Ｓ３０２）、データ通信を行っていない場合には、音声通話が可能であることを指令台装置１３に通知する（Ｓ３０９）。現在データ通信中である場合には、（Ｓ３０３）へ移行する。
【００２６】
（Ｓ３０３）では、通信中のデータ内容を参照してデータの重要度を判別する。各データにはその種類ごとに予め重要度が設定してある。図４にデータの重要度の一例を示す。この図４に示すように、例えば、指令系電文は重要度が「大」即ち重要度が最も高いものとして設定しておき、他車両情報は重要度が「中」即ち重要度が中位のものとして設定しておき、ポーリングデータは重要度が「小」即ち重要度が最も低いものとして設定しておく。なお、この図４における送信時間は、各データの送信にかかる平均的な時間を表したものである。
【００２７】
次に、（Ｓ３０４）において、データの重要度が「大」であるか否かを判別する。ここで、データの重要度が最も高い「大」であると判別された場合は、データ通信を優先して処理し（Ｓ３０５）、音声通話ができないことを指令台装置１１に通知する（Ｓ３０６）。
【００２８】
（Ｓ３０４）において、データの重要度が「大」ではないと判別された場合には、次の（Ｓ３０７）において、データの重要度が最も低い「小」であるか否かを判別する。ここで、データの重要度が「中」と判別された場合は、図２の（Ｓ２０３）へ移行する。即ち、データの残り送信時間を算出し（Ｓ２０３）、５秒以内でデータ送信完了する場合には、データ通信が完了するまで待機する旨を指令台１３に通知（Ｓ２０５）した上で、データ通信が完了後（Ｓ２０６）音声通話可能であることを指令台装置１３に通知する（Ｓ２０８）。５秒以内でデータ通信を完了できない場合には、データ通信を中断し（Ｓ２０７）、即座に音声通話が可能であることを指令台装置１３に通知する（Ｓ２０８）。
【００２９】
（Ｓ３０７）において、データの重要度が最も低い「小」と判別された場合には、データ通信を中断し（Ｓ３０８）、音声通話が可能であることを指令台装置１３に通知する（Ｓ３０９）。データ通信を中断する際、図４に示すように送信時間が短いデータもあるので、データ通信中断までを若干の遅延時間（例えば１秒間）を設けてデータ通信の中断処理を行ってもよい。
音声通信完了後は、中断したデータを再送信処理が行われる。この場合、データを最初から送る場合と、中断後のデータから送る場合のいずれも方法でもよい。
【００３０】
以上のように、実施例２における回線制御装置１７での制御によれば、データ通信優先、残りの送信時間に応じて処理を切替、又は、音声通信優先というように、データの重要度に応じて処理を切り替えることができるため、従来の音声通信優先のみの運用時に比較して非効率なデータ中断が無くなり、その結果、データ通信中断による再送信処理の回数を減らすことで無線通信システムの運用効率が高くなる。
【００３１】
前記実施例２においては、データの重要度を３段階に分けて、それぞれに応じた処理を行うように制御を行っていたが、３段階の場合に限定されるものではなく、例えば、重要度が大、小の２段階の場合、重要度「大」と判別された場合、前記実施例２においてデータの重要度「大」として処理し、重要度「小」と判別された場合、前記実施例２においてデータの重要度「中」として処理する。
【００３２】
または、重要度の段階をもっと細かく設定してもよい。例えば、前記実施例２においてデータの重要度「中」とされた場合の処理の部分を細分化して、データ通信を継続するか中断するかの閾値となる設定時間を段階的に設定（例えば、重要度が高い順に閾値を７秒、５秒、３秒とする等）するようにしてもよい。
また、緊急時などに対応するため、データの重要度に関係なく指令台装置１３側から強制的に音声通信に切り替えるモードを設けるようにしてもよい。
【００３３】
前記実施例１及び２において、データ通信中に音声通話要求があった場合に、データ通信完了までの時間を算出し、所定時間、例えば５秒を閾値としてデータ通信を中断するか継続するかを制御していたが、時間による閾値に限られるものではなく、データ量に閾値を設けて制御するようにしてもよい。即ち、所定バイト数に閾値を設定し、データ通信完了までの残りデータ量が閾値以下である場合にはデータ通信完了まで待機した上で音声通信に切り替え、データ通信完了までの残りデータ量が閾値よりも大きい場合にはデータ通信を中断した上で音声通信に切り替えるように制御を行っても、前記実施例１及び２と同様の効果を得ることが出来る。
【符号の説明】
【００３４】
１０…本部基地局（基地局）、１１、１１ａ〜１１ｃ…移動局、１３…指令台装置、１４…自動出動装置、１５…ＡＶＭ動態管理装置、１６…無線統制台装置、１７…回線制御装置、１８…無線装置、（Ｓ２０１）〜（Ｓ２０８）…図２の各ステップ、（Ｓ３０１）〜（Ｓ３０９）…図３の各ステップ。
【図１】
2012010115.tif 000003
【図２】
2012010115.tif 000004
【図３】
2012010115.tif 000005
【図４】
2012010115.tif 000006
【図５】
2012010115.tif 000007